(57)【特許請求の範囲】
【請求項１】
吸収性コアを有し、ウエスト開口部と一対のレッグ開口部とが形成されているパンツ型の使い捨ておむつであって、
腹側部及び／又は背側部における前記ウエスト開口部と前記レッグ開口部との間に、おむつ幅方向に分離した左右一対のサイド伸縮領域を有しており、
前記吸収性コアは、腹側部側及び／又は背側部側の端部が細幅に形成されており、該細幅な端部が、一対の前記サイド伸縮領域間に位置しており、
一対の前記サイド伸縮領域は、おむつを着用したときに着用者の腸骨稜から上前腸骨棘にかけての部位に当接する部位に形成されており、おむつ着用時に、前記サイド伸縮領域の圧力が前記ウエスト開口部の圧力よりも高くなるようになされており、
一対の前記サイド伸縮領域は、おむつ着用時の圧力が１．１〜２．５ｋＰａとなされているパンツ型使い捨ておむつ。
【請求項２】
幼児用の使い捨ておむつであり、おむつの展開状態において、長手方向中心線から腹側部の前記サイド伸縮領域の中心位置までの距離が１８０〜２３０ｍｍである請求項１記載のパンツ型使い捨ておむつ。
【発明の詳細な説明】
【技術分野】
【０００１】
本発明は、パンツ型使い捨ておむつに関する。
【背景技術】
【０００２】
パンツ型使い捨ておむつにおいて、ウエスト開口部とレッグ開口部との間に、おむつの幅方向に延びる弾性部材を配したものが知られている。例えばおむつの少なくとも腹側が、コアの前端縁を境とする上下各最大２０ｍｍの範囲で画成される第１胴周り域と、該第１胴周り域とレッグ開口部との間に画成される第２胴周り域とを有し、第１胴周り域における弾性部材の各々の配列間隔寸法を、第２胴周り域における弾性部材の各々の配列間隔寸法よりも小さくしたパンツ型使い捨ておむつが提案されている（特許文献１参照）。このおむつは、第１胴周り域及び第２胴周り域における一定面積の当たりの面圧を実質的に等しくしつつ、肌に対する密着性に関し、第１胴周り域を第２胴周り域よりも良好にすることで、おむつの着用感を損なうことなく漏れを防止しようとするものである。
【０００３】
また弾性部材の配設間隔を、レッグ開口部に向かうに連れて漸次狭くなるようにすることで、着用者の胴部腰骨の上部に強い収縮力が働くようにしたパンツ型使い捨ておむつも知られている（特許文献２参照）。
【０００４】
しかしこれらのおむつでは、着用中におむつがずれ落ちて外観が低下し、またずれ
落ちに起因して着用者が動きにくくなるおそれがある。また、ウエスト開口部に強い
締め付け圧が加わるので、おむつを着用させにくくなるおそれがある。
【０００５】
【特許文献１】特開平９−８４８２６号公報
【特許文献２】実開平６−４２１号公報
【発明の開示】
【発明が解決しようとする課題】
【０００６】
従って本発明の目的は、前述した従来技術が有する種々の欠点を解消し得るパンツ型使い捨ておむつを提供することにある。
【課題を解決するための手段】
【０００７】
本発明は、吸収体を有し、ウエスト開口部と一対のレッグ開口部とが形成されているパンツ型の使い捨ておむつであって、腹側部及び／又は背側部における前記ウエスト開口部と前記レッグ開口部との間に、おむつ幅方向に分離した左右一対のサイド伸縮領域を有しており、前記吸収体は、腹側部側及び／又は背側部側の端部が細幅に形成され、該細幅な端部が、一対の前記サイド伸縮領域間に位置しているパンツ型使い捨ておむつを提供することにより前記目的を達成したものである。
【発明の効果】
【０００８】
本発明のパンツ型使い捨ておむつは、おむつの着用中に着用者の動作等に起因するおむつのずれ落ちが起こりにくいものである。具体的には、一対のサイド伸縮領域がそれぞれ、おむつ幅方向において比較的均一な圧力で着用者の肌に当接し、一対のサイド伸縮領域によるずれ落ち防止効果が良好に発現されて、優れたずれ落ち防止効果が奏される。
【発明を実施するための最良の形態】
【０００９】
以下本発明を、その好ましい実施形態に基づき図面を参照しながら説明する。図１には、本発明のパンツ型使い捨ておむつの一実施形態の斜視図が示されている。図２には、図１に示すおむつを組み立てる前の状態を示す分解斜視図が示されている。図３には、図１の使い捨ておむつにおける外包材の展開状態を示す平面図が示されている。
【００１０】
本実施形態のおむつ１は、液透過性の表面シート２、撥水性の裏面シート３及び両シート２、３間に介在配置された液保持性の吸収性コア４を有する実質的に縦長の吸収体本体１０と、該吸収体本体１０の裏面シート３側に配された外包材１１とを備えている。
【００１１】
外包材１１は、その両側縁が、長手方向中央部において内方に括れた砂時計形の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁Ａ１，Ａ２と背側部Ｂの両側縁Ｂ１，Ｂ２とが互いに接合されて、おむつ１にはウエスト開口部５及び一対のレッグ開口部６が形成される。この接合によって、おむつ１の左右両側縁には一対のサイドシール部Ｓが形成される。この接合には例えばヒートシール、高周波シール、超音波シール等が用いられる。
【００１２】
表面シート２、裏面シート３及び吸収性コア４はそれぞれ矩形状であり、一体化されて縦長の吸収体本体１０を形成している。表面シート２及び防漏シート３としては、従来この種のおむつに用いられているものと同様のものを用いることができる。また吸収性コア４は、高吸収性ポリマーの粒子及び繊維材料から構成されており、ティッシュペーパ（図示せず）によって被覆されている。本発明の吸収性コア４としては、パルプ繊維等の繊維からなる繊維集合体又はこれに高吸収性ポリマーを保持させてなるもの等を好ましく用いることができる。繊維集合体は、不織布も含む概念である。高吸収性ポリマーを保持する形態としては、繊維集合体の繊維間に分散して保持されている形態、２層以上からなる繊維層の間にサンドイッチされている形態、高吸収性ポリマーからなる層と繊維集合体からなる層とが積層された状態でティッシュペーパ等で包まれている状態等を挙げることができる。
【００１３】
図２に示すように、吸収体本体１０の長手方向の左右両側には、液抵抗性ないし撥水性で且つ通気性の素材から構成された側方カフス８、８が形成されている。各側方カフス８の自由端部の近傍には、側方カフス弾性部材８１が伸張状態で配されている。これにより、図１のように組み立てられたおむつ１を着用させる際には、弾性部材８１が縮むことにより側方カフス８が起立して、吸収体本体１０の幅方向への液の流出が阻止される。
【００１４】
外包材１１は、少なくとも二枚の不織布、即ち外層不織布１２と該外層不織布１２の内面側に配された内層不織布１３とを有している。外層不織布１２はおむつ１の外面をなし、内層不織布１３は外層不織布１２の内面側に、ホットメルト粘着剤等の接着剤によって接合されている。外層不織布１２と内層不織布１３は液の染み出し性を考慮すると、共に撥水性であることが好ましい。
【００１５】
外包材１１における前後端部には、前後端縁に沿って、複数のウエスト部弾性部材５１、５１がその幅方向に亘り配されている。各ウエスト部弾性部材５１、５１は、外層不織布１２と内層不織布１３とによって伸張状態で挟持固定されている。各ウエスト部弾性部材５１、５１は、おむつ１の腹側部Ａの両側縁Ａ１，Ａ２と背側部Ｂの両側縁Ｂ１，Ｂ２とを互いに接合（接合部分）させたときに、両弾性部材５１、５１の端部同士が重なるように配されているか、両接合部分まで両弾性部材５１、５１の端部が連続配置されている。これによって、図１に示すように、おむつ１のウエスト開口部５の付近には実質的に連続したリング状のウエストギャザーが形成される。
【００１６】
外包材１１を構成する外層不織布１２は、外層不織布１２と内層不織布１３とによって各ウエスト部弾性部材５１，５１を挟持固定する部位よりも更に延出する長さを有し、外層不織布１２の内層不織布１３より延出した部分が吸収体本体１０側に折り返されている。外層不織布１２の折り返した部分により、吸収体本体１０の前後端部上（即ち吸収体本体１０の前後端部における表面シート２上）が被覆されている。
【００１７】
外包材１１における左右両側の湾曲部には、図３に示すように、レッグ部弾性部材６１ａ、６１ｂが配されている。各レッグ部弾性部材６１ａ、６１ｂは、前記湾曲部に沿って配されている。各レッグ部弾性部材６１ａ、６１ｂは、外層不織布１２と内層不織布１３との間に配されており、所定の接合手段によって、両不織布１２、１３に伸張状態で固定されている。各レッグ部弾性部材６１ａ、６１ｂは、その一端どうしが股下部Ｃにおいて重なり合っている。一方、他端は腹側部Ａ及び背側部Ｂの各側縁の位置において終端している。各レッグ部弾性部材６１ａ、６１ｂは、おむつ１の腹側部Ａの両側縁Ａ１，Ａ２と背側部Ｂの両側縁Ｂ１，Ｂ２とを互いに接合させたときに、両弾性部材６１ａ、６１ｂの端部同士が重なるように配されているか、両接合部分まで両弾性部材６１ａ、６１ｂの端部が連続配置されている。これによって、図１に示すように、おむつ１のレッグ開口部６、６の付近には実質的に連続したリング状のレッグギャザーが形成される。
【００１８】
本実施形態のおむつ１においては、おむつ１の腹側部Ａ及び背側部Ｂそれぞれにおけるウエスト開口部５とレッグ開口部６との間に、おむつ１の幅方向に延びる弾性部材が多数配されている。弾性部材が配されることによって、ウエスト開口部５とレッグ開口部６との間にはおむつ１の幅方向に伸縮する一対の第１領域７１と一対の第２領域７２とが、それぞれ左右に分離された状態で形成されている。第１領域７１には第１弾性部材７１ａが配されており、第２領域７２には第２弾性部材７２ａが配されている。第１領域７１はウエスト開口部５とレッグ開口部６との間に位置し、第２領域７２は第１領域７１とレック開口部との間に位置している。
【００１９】
第１弾性部材７１ａ及び第２弾性部材７２ａは何れも外層不織布１２と内層不織布１３とによって伸張状態で挟持固定されている。第１弾性部材７１ａは、おむつ１の腹側部Ａの両側縁Ａ１，Ａ２と背側部Ｂの両側縁Ｂ１，Ｂ２とを互いに接合させたときに、腹側部Ａの第１弾性部材７１ａと背側部Ｂの第１弾性部材７１ａとの端部同士が重なるように配されているか、両接合部分まで各弾性部材７１ａ、７１ａの端部が配置されている。第２弾性部材７２ａについても同様である。
【００２０】
本実施形態のおむつ１における第１弾性部材７１ａは、おむつの腹側部及び背側部それぞれにおける両側部に伸張状態で配されている一方、おむつの腹側部及び背側部それぞれにおける幅方向中央部には実質的に配されていない。具体的には、第１弾性部材７１ａは、おむつの腹側部及び背側部それぞれの幅方向において、おむつ１の左右両側縁（即ち外包材１１の左右両側縁）から、腹側部及び背側部それぞれの幅の１／４〜２／５の幅に亘って延在しているが、おむつの腹側部及び背側部それぞれの幅方向中央部付近の、腹側部及び背側部それぞれの幅の１／５〜２／４の幅に亘る範囲内には、第１弾性部材７１ａが実質的に存在していない。その結果、おむつの腹側部及び背側部それぞれにおける左右一対の第１領域７１は、おむつ幅方向に分離された状態のサイド伸縮領域を形成している。
本実施形態のおむつ１における第２弾性部材７２ａも、第１弾性部材７１ａと同様に、おむつの腹側部及び背側部それぞれにおける両側部に伸張状態で配されている一方、おむつの腹側部及び背側部それぞれにおける幅方向中央部には実質的に配されていない。具体的には、第２弾性部材７２ａは、おむつの腹側部及び背側部それぞれの幅方向において、おむつ１の左右両側縁（即ち外包材１１の左右両側縁）から、腹側部及び背側部それぞれの幅の１／４〜２／５の幅に亘って延在しているが、おむつの腹側部及び背側部それぞれの幅方向中央部付近の、腹側部及び背側部それぞれの幅の１／５〜２／４の長さの範囲には、第２弾性部材７２ａが実質的に存在していない。その結果、おむつの腹側部及び背側部それぞれにおける左右一対の第２領域７２は、おむつ幅方向に分離された状態の第２サイド伸縮領域を形成している。
【００２１】
本実施形態のおむつ１における吸収性コア４は、図２及び図３に示すように、長手
方向の両端部４ａ、４ｂがそれぞれ細幅に形成されている。具体的には、吸収性コア
４は、平面視して縦長矩形状の吸収性コアの四隅部をそれぞれ外方に向かって凹の円
弧状に切除した形状を有し、長手方向の両端部４ａ、４ｂは、ウエスト開口部に向か
うに連れてその幅が漸減している。尚、図３には、吸収性コア４の配置位置が点線で
示されている。
吸収性コア４の腹側部Ａ側の細幅な端部４ａは、腹側部Ａ側のレッグ開口部６の上
端位置（腹側部Ａと股下部Ｃとの境界位置と同じ）における幅Ｗ３（図３参照）と、
最もウエスト開口部７に近い位置における幅Ｗ４（図３参照）との比（Ｗ３／Ｗ４）
が、１．３〜４．５であることが好ましく、２．３〜３．３であることがより好まし
い。
吸収性コア４の背側部Ｂ側の細幅な端部４ｂも、同様に、背側部Ｂ側のレッグ開口
部６の上端位置（背側部Ｂと股下部Ｃとの境界位置と同じ）における幅Ｗ５（図３参
照）と、最もウエスト開口部７に近い位置における幅Ｗ６（図３参照）との比（Ｗ５
／Ｗ６）が、１．３〜４．５であることが好ましく、２．３〜３．３であることがよ
り好ましい。
【００２２】
そして、吸収性コア４の腹側部Ａ側の細幅な端部４ａは、腹側部Ａにおいて、一対
の第１領域７１、７１間及び一対の第２領域７２、７２間に入り込んでおり、また、
吸収性コア４の背側部Ｂ側の細幅な端部４ｂは、背側部Ｂにおいて、一対の第１領域
７１、７１間及び一対の第２領域７２，７２間に入り込んでいる。一対の第１領域及
び一対の第２領域は、何れも本発明における一対のサイド伸縮領域である。
本実施形態のおむつ１においては、吸収性コア４の腹側部Ａ側の細幅な端部４ａは、腹側部Ａにおける第１領域７１の中心位置（おむつ１の長手方向における中心位置）Ｃ７１を超えて、ウエスト開口部７近傍まで入り込んでおり、同様に、吸収性コア４の背側部Ｂ側の細幅な端部４ｂも、背側部Ｂにおける第１領域（サイド伸縮領域）７１の中心位置Ｃ７１を超えて、ウエスト開口部７の近傍まで入り込んでいる。
【００２３】
本実施形態のおむつ１における各弾性部材としてはそれぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００２４】
本実施形態のおむつ１においては、第１領域７１におけるおむつ１の着用時の圧力が１．１〜２．５ｋＰａとなされている。第１領域７１は、おむつ１を着用したときに着用者の腸骨稜から上前腸骨棘にかけての部位（以下、腸骨領域ともいう）に当接する部位に好ましくは形成されている。腸骨稜及び上前腸骨棘は解剖学の用語である。腸骨稜とは図４において９ａで示される部位であり、上前腸骨棘とは同図において９ｂで示される部位である。従来、パンツ型おむつの着用中のずれ落ちを防止するためには、特に幼児用のパンツ型使い捨ておむつの着用中のずれ落ちを防止するためには、ウエスト開口部に配設する弾性部材の締め付け圧を高くして、該ウエスト開口部によってパンツ型おむつを着用者の身体に密着させることが有効であると考えられてきた（例えば、先に述べた特許文献２参照）。しかし本発明者らの検討の結果、パンツ型おむつの着用中のずれ落ちを効果的に防止するためには、ウエスト開口部の締め付け圧を高くするよりも、着用者の腸骨領域に対応するおむつの部位の締め付け圧を従来よりも高めることが有効であることが見出された。この理由は、着用者、特に幼児は、その身体的な特徴として腹まわりが張り出しているので、当該張り出してる腹まわりに当接するウエスト開口部の締め付け圧を高くすると、その締め付け圧が高い故にウエスト開口部が次第に絞り込まれて、腹まわりが細くなる部位にまで該ウエスト開口部がずれ下がってくるからである。
【００２５】
図５は赤ちゃんの体を円錐に見立てた状態を示している。図中、θはウエスト部（点Ａ）における接線に対する垂線と、体の中心に向かう水平線のなす角度を表し、Ｆは弾性体の締め付け力を示し、ＰはＦに起因する摩擦力を示し、ｆ１はＦに起因するズレ落ち力を示し、ｆ２は垂直抗力を示している。ここで、ｆ１＝Ｆｓｉｎθであり、またＰ＝νＮ＝νｆ２＝νＦｃｏｓθ（νは摩擦係数を表す）であるから、点Ａにおける下方に向くずれ落ち力Ｚは次式で表される。
Ｚ＝ｆ１−Ｐ＝Ｆｓｉｎθ−νＦｃｏｓθ＝Ｆ（ｓｉｎθ−νｃｏｓθ）
この式から、ウエスト部がずれ落ちの生じる状態にある場合、締め付け力（Ｆ）が大きい程ずれ落ち力が大きくなることが理解できる。
【００２６】
前述した通り、第１領域７１におけるおむつ１の着用時の圧力は１．１〜２．５ｋＰａである。第１領域７１におけるおむつ１の着用時の圧力が１．１ｋＰａ未満であると、おむつ１の第１領域７１を着用者の腸骨領域に固定することが困難となり、その結果おむつ１がずれ落ちてしまい、着用状態でのおむつ１の外観が非常に低下してしまう。特に、おむつ１の股下部Ｃでのだぶつきが顕著になってしまい、また尿および便の漏れの原因となる。一方、第１領域７１におけるおむつ１の着用時の圧力が２．５ｋＰａ超であると、着用者の身体を過度に締め付けてしまうほか、おむつ１の装着操作が困難になってしまう。おむつ１のずれ落ちを一層効果的に防止し、また着用状態でのおむつ１の外観やおむつ１の装着操作を一層向上させる観点から、第１領域７１におけるおむつ１の着用時の圧力は１．１〜２．０ｋＰａであることが好ましく、１．２〜１．８ｋＰａであることが更に好ましい。
【００２７】
第１領域７１におけるおむつ１の着用時の圧力は、例えば第１弾性部材７１ａの素材や太さ、伸長率、或いは配設間隔を調整することでコントロールすることができる。
【００２８】
第１領域７１におけるおむつ１の着用時の圧力は、周長が５００ｍｍの円筒におむつ１を装着し、装着圧測定装置（（株）エイエムアイ・テクノ製の接触圧測定器（ＡＭＩ３０３７−２））によって測定される。各サイズの規定は、着用する幼児の体重によってされており、Ｍサイズは６〜１０ｋｇ、Ｌサイズは９〜１４ｋｇ、Ｂｉｇサイズは１２〜２６ｋｇの体重の幼児を対象としている。通常、使い捨ておむつは、その包装袋やパンフレット等に、そのおむつが着用者として想定する幼児の体重が範囲で表示されている。その表示された体重の範囲が、上記の２つ以上のサイズに跨っている場合、表示範囲の下限値が６ｋｇを下回っている場合、又は表示範囲の上限値が２６ｋｇを上回っている場合（上限値が表示されていない場合を含む）には、上記のサイズ毎の範囲と表示された範囲の重なりが最も大きくなるサイズのおむつであると判断する。例えば、表示された体重の範囲が、６〜１０ｋｇ、７〜１０ｋｇの場合は、何れもＭサイズと判断し、表示された体重の範囲が、９〜１４ｋｇの場合は、Ｌサイズと判断し、１２〜２２ｋｇ、１２ｋｇ以上（上限の表示なし）、１２〜１７ｋｇ、１２〜２０ｋｇ、１３〜２５ｋｇ等の場合は、何れもＢｉｇサイズと判断する。
装着圧の具体的な測定法は以下の通りである。
【００２９】
φ＝１５ｍｍのエアパックを用い、ウエスト開口部の先端部（上端部）にエアパックの中心が位置するようにセットし、装着圧（Ｐ１）を測定する。エアパックをセットするおむつ幅方向の位置は、おむつの左右両側縁（サイドシール部）から、おむつ幅方向内方に向かって２０ｍｍ離間した位置とする。続いておむつ１の長さ方向に５ｍｍエアパックの中心を移動させ装着圧（Ｐ２）を測定する。同様に５ｍｍ間隔で測定を行い、Ｐ３，Ｐ４，Ｐ５，・・・，Ｐｎを得る。Ｐ１ないしＰｎの測定は外包材１１における、ウエスト開口部からレッグ開口部までの左右両側部どうしが互いに接合されている範囲にわたって行う。Ｐ１は、腹側部の左右２箇所で、各箇所について２回測定し、合計４点の測定結果の平均値を、腹側部における、第１領域（サイド伸縮領域）の装着圧とする。装着圧Ｐ２〜Ｐｎも同様にして測定する。背側部においても、Ｐ１〜Ｐｎのそれぞれについて合計４点の測定を行い、それらの平均値を背側部の装着圧とする。Ｐ１からＰｎの値において１．１〜２．５ｋＰａに連続的に該当する部位間の距離を第１領域７１の幅とする。例えば、Ｐ３からＰ６までが該当する場合、領域の幅＝（６−３）×５＝１５ｍｍとする。またその時の第１領域７１の中心は測定点３と測定点６の中点とする。
【００３０】
円筒の周長をサイズによって４６０ｍｍ、５００ｍｍ、５３０ｍｍとした理由は、
本実施形態のおむつ１を着用する主たる対象者である幼児の腹まわりの長さの平均が
おおよそ４６０ｍｍ、５００ｍｍ、５３０ｍｍであることによる。なお、ここで言う
腹まわりの長さは、幼児の姿勢が変化した時の腹まわりの周長の変化を考慮し、立位
および座位で測定した腹まわりの平均値である。成人用のおむつの場合には、周長４
６０ｍｍ、５００ｍｍ、５３０ｍｍの円筒に代えて、周長８５０ｍｍの円筒を用いる
。
【００３１】
着用者の腸骨稜から上前腸骨棘にかけての部位には一定の幅があり、当該幅の範囲
内でおむつ１の第１領域７１を当該部位に固定することで、おむつ１のずれ落ちを効
果的に防止することができる。この観点から、本実施形態のおむつ１においては、第
１領域７１の幅（つまり、おむつ１の長手方向に沿う第１領域７１の長さ）Ｗ１を１
２〜３５ｍｍとしている。この幅Ｗが２０〜３５ｍｍ、特に２５〜３０ｍｍであると
、おむつ１のずれ落ちを一層効果的に防止することができ、また着用状態でのおむつ
１の外観やおむつ１の装着操作（はかせやすさ等）を一層向上させることができる。
【００３２】
おむつ１を着用した状態で、第１領域７１が着用者の腸骨稜から上前腸骨棘にかけての部位に当接するようにするためには、おむつ１の寸法と着用者の体格との関係が重要である。例えばパンツ型おむつの主たる着用対象者である幼児を考えた場合、おむつ１の展開状態において、腹側部Ａの第１領域７１の中心位置（おむつ１の長手方向における中心位置）Ｃ７１とおむつ１の長手方向中心線ＣＬとの間の距離Ｋ１（図３参照）を１８０〜２３０ｍｍとし、且つおむつ１の展開状態において、背側部Ｂの第１領域７１の中心位置（おむつ１の長手方向における中心位置）Ｃ７１とおむつ１の長手方向中心線ＣＬとの間の距離Ｋ２（図３参照）を１８０〜２３０ｍｍとすることで、第１領域７１を着用者の腸骨領域に首尾良く当接させることができる。この値はパンツおむつの主たる着用対象者である幼児約３５０人の身体計測を実施して決定されたものである。具体的には図６に示すように、上前腸骨棘の水平位置高さにある腹側部左右中心点を上前腸骨棘高前中心とし、背側部を上前腸骨棘高後中心とすると、上前腸骨棘高前中心から股下を経由し上前腸骨棘高後中心までの長さを上前腸骨棘高前後長とし、この上前腸骨棘高前後長におむつの材料による厚み等を考慮した必要長を加えて得られた数値を二分したものである。当該距離Ｋ１およびＫ２を１８５〜２２０ｍｍ、特に１９５〜２１５ｍｍとすることで、第１領域７１を着用者の腸骨領域に一層首尾良く当接させることができる。
成人用のおむつの場合には、当該距離Ｋ１およびＫ２を３００〜３５０ｍｍ、特に
３０５〜３３５ｍｍとすることで、第１領域７１を着用者の腸骨領域に一層首尾良く
当接させることができる。
【００３３】
第１領域７１は腹側部Ａ及び背側部Ｂに存在するが、腹側部Ａ及び背側部Ｂにおける装着時の圧力は全く同じである必要はない。即ち、腹側部Ａ及び背側部Ｂにおける第１領域７１の装着時の圧力が１．１〜２．５ｋＰａであることを満たせば、弾性体の素材、太さ、伸長率、配設間隔は腹側部Ａ及び背側部Ｂにおいて異なっていてもよい。しかし、腹側部Ａ及び背側部Ｂの第１領域７１の構成が過度に異なると、外包材１１における長手方向前後端部の左右両側部どうしが互いに接合されている部位が、装着時において前後いずれかにずれてしまい、おむつ１の外観に不具合が生じることがある。そこで、腹側部Ａ及び背側部Ｂにおける第１領域７１の装着時の圧力の大きい方をＡ、小さい方をＢとした時、（Ａ−Ｂ）／Ａの比が３０％以内であることが好ましい。
【００３４】
本発明において、おむつ１の長手方向中心線ＣＬとは、おむつ１の腹側部Ａの両側縁Ａ１，Ａ２と背側部Ｂの両側縁Ｂ１，Ｂ２とが実質的にずれることなく互いに接合されている場合においては、おむつ１の展開状態におけるＡ１、Ｂ１の中点を通るおむつ幅方向に沿う直線のことをいう（図３参照）。これと異なり、例えば図７（ａ）及び（ｂ）に示すように、腹側部Ａの両側縁Ａ１，Ａ２が、背側部Ｂの両側縁Ｂ１’，Ｂ２’と接合されておらず、両側縁Ｂ１’，Ｂ２’よりも長手方向内方の位置であるＢ１，Ｂ２において接合されている場合においては、Ｂ１，Ｂ２からＢ１’，Ｂ２’にかけての領域をないものと仮定した上で、前述と同様に、おむつの長手方向中心線を定める。
【００３５】
なお、おむつ１の展開状態における外包材１１の全長Ｌは任意に設定可能であるが、おむつ装着時および使用後の「すっきり感」および「ずれ落ち防止性」を考慮すると、４７０〜５４０ｍｍに設定することが好ましい。また「装着時の安心感」を考慮すると、おへそを完全にカバーすることが望ましく、その観点から４９０〜５８０ｍｍに設定することが好ましい。
【００３６】
本実施形態におむつ１においては、主として、第１領域７１に配された第１弾性部材７１ａによる締め付け力によっておむつ１を着用者の身体に固定している。換言すれば、従来のパンツ型おむつと異なり、ウエスト開口部５に配された弾性部材による締め付け力は、本実施形態のおむつ１においては、おむつ１を着用者の身体に固定するための主たる手段ではない。逆にウエスト開口部５の締め付け力を高くしてしまうと、おむつ１のずれ落ちが助長されてしまうことが本発明者らによって確認されている。この観点から、本実施形態のおむつ１においては、おむつ着用時のウエスト開口部５の圧力は、従来のパンツ型おむつのそれよりも低い値である０．３〜１．２ｋＰａとなされている。この圧力は、おむつ着用時の第１領域７１の圧力の平均値よりも０．５〜１．０ｋＰａ低いことが好ましい。また、おむつ着用時のウエスト開口部５の圧力を前記範囲内とすることで、おむつ１の着用時にウエスト開口部５を拡開しやすくなり、装着操作を行いやすくなるという利点もある。なおウエスト開口部５の圧力が０．３ｋＰａ未満であると、装着する前のおむつ１の自然長が大きくなり、衣服として見たときの見映えが悪い等の不具合が生じることがある。
【００３７】
おむつ着用時のウエスト開口部５の圧力が、より好ましくは０．４〜１．０ｋＰａ、更に好ましくは０．４〜０．８ｋＰａとなされていると、おむつ１のずれ落ちを一層効果的に防止することができる。ウエスト開口部５の圧力は、先に述べた第１領域７１の圧力と同様の方法によって測定することができる。即ち、おむつ１のウエスト開口部５に、周長が４６０ｍｍ（Ｍサイズのおむつの場合）、５００ｍｍ（Ｌサイズのおむつの場合）又は５３０ｍｍ（Ｂｉｇサイズのおむつの場合）の円筒を挿入（装着）し、ウエスト開口部の先端部よりおむつ長手方向に１５ｍｍの位置に装着圧測定装置のエアパックの中心を位置させ装着圧を測定する。測定は円周方向に５０ｍｍ間隔にて１０点行い、その平均値をもってウエスト開口部の圧力とする。図７（ａ）及び（ｂ）に示すように、腹側のウエスト開口部の端縁の位置と、背側のウエスト開口部の端縁の位置とがずれている場合は、腹側と背側とが重なっている領域のうち、最も端部寄りの位置をもってウエスト開口部とする。ウエスト開口部５の圧力は、例えばウエスト部弾性部材５１の素材、太さや伸長率、或いは配設間隔を調整することでコントロールすることができる。
【００３８】
おむつ１においては、レッグ開口部に実質的に沿って弾性部材６１ａ，６１ｂが伸長状態で配されていることが好ましい。そして、おむつ着用時のレッグ開口部６の圧力が、１．０〜２．４ｋＰａ、特に１．２〜２．２ｋＰａとなされていることが好ましい。おむつ着用時のレッグ開口部６の圧力が前記範囲内であることによって、レッグ開口部６の開口端が着用者の鼠蹊部に適正にフィットし、着用者の脚周りからの液漏れを効果的に防止することができる。また、使用時において排尿／排便に起因しておむつ１の股下における重量が増加しても、股下において吸収体が着用者の身体から離間することが防止され、着用中のおむつ１の外観の低下及び尿や便の漏れが防止される。その結果、着用状態のおむつ１を良好な状態に保つことができる等の効果を得ることができる。
【００３９】
レッグ開口部の装着圧は次の方法で測定される。装置／エアパックはウエスト開口部の測定と同じである。おむつ１のレッグ開口部６に周長３００ｍｍの円筒を挿入（装着）し、弾性部材６１ａ，６１ｂが配置された部位にて円周方向に５０ｍｍ間隔で６点測定を行う。弾性部材６１ａ，６１ｂが複数本存在する場合は、該弾性部材が配置されている領域の幅中心点にて測定を行う。右足および左足計１２点の平均値をレッグ開口部６の装着圧とする。レッグ部弾性部材６１ａ，６１ｂが完全に、あるいは部分的にないものに関しては相当部位における側方カフス弾性部材８１が配置されている領域の装着圧をもってレッグ開口部の装着圧とする。円筒の周長を３００ｍｍとした理由は、本実施形態のおむつ１を着用する主たる対象者である幼児の鼠蹊部（足まわり）の長さの平均がおおよそ３００ｍｍであることによる。
【００４０】
更に本実施形態のおむつ１においては、おむつ着用時の、第１領域７１、ウエスト開口部５及びレッグ開口部６以外の領域、例えば第１領域７１とレッグ開口部６との間に位置する第２領域７２の圧力が好ましくは０．２〜０．８ｋＰａ、更に好ましくは０．３〜０．６ｋＰａになされている。第１領域７１の圧力が第２領域７２の圧力より高くすることによって、おむつ１を着用者の身体に適度な圧力で密着させることができ、液漏れを効果的に防止することができる。第２領域７２は、おむつ１を着用した場合に、着用者の腸骨領域の下側の領域（下腹部）に当接する。第２領域７２の幅（つまり、おむつ１の長手方向に沿う第２領域７２の長さ）Ｗ２は４０〜７０ｍｍ、特に４５〜６５ｍｍであることが好ましい。
【００４１】
これに関連して、おむつ１においては、おむつ着用時の、ウエスト開口部５、第１領域７１及び第２領域７２の圧力を比較したときに、第１領域７１の圧力が最も高く、次いでウエスト開口部５の圧力が高く、第２領域７２の圧力が最も低いことが好ましい。各部位の圧力にこのような序列を設けることで、着用中のおむつ１のずれ落ちが効果的に防止されるのみならず、おむつ１が着用者の身体に違和感なく密着し、液漏れが効果的に防止される。
【００４２】
本実施形態の使い捨ておむつ１によれば、一対の第１領域７１，７１間及び一対の第２領域７２，７２間に、吸収性コア４の幅の広い部分ではなく、細幅な端部４ａ，４ｂが入り込んでいるため、一対の第１領域７１，７１間及び一対の第２領域７２，７２間に吸収性コア４の幅の広い部分が入り込んでいる場合に比べて、一対の第１領域７１，７１及び一対の第２領域７２，７２が、着用者の肌に対して良好にフィットし、ずれ落ちが生じにくい。
特に、本実施形態のおむつ１においては、吸収性コア４の細幅な端部４ａ，４ｂが、第１領域７１、７１間にも入り込んでいるため、第１領域７１、７１が着用者の腸骨部位に良好に当接して優れたずれ落ち防止性能が発現される上に、おむつが膨らんでだぼつくことがなくフィットし易い。その結果、お腹からの漏れも防止できる。
これは、サイド伸縮領域間に吸収性コア４の細幅な端部を配することにより、吸収体の厚みや剛性等の影響を抑えることができ、第１領域の弾性部材が伸縮することにより該第１領域を装着者への押圧力を有効に発現させるのでフィット性を高めることができる。更に、おむつ幅方向の略中央において、ウエスト部まで剛性のある吸収体を配置されることにより、お腹側部分のウエスト開口部周辺のたわみを抑えることができる。
これに対して、吸収性コア４が、股下部と同様の広い幅で、第１領域７１，７１間に入り込んでいる場合には、吸収性コア４の剛性により、サイド伸縮領域の圧力がおむつ幅方向において不均一となりやすく、ずれ落ち防止性能が充分に発現されない恐れがある。
【００４３】
以上、本発明をその好ましい実施形態に基づき説明したが、本発明は前記実施形態に制限されるものではない。例えば前記実施形態のおむつ１においては、おむつの腹側部Ａ及び背側部Ｂそれぞれにおけるウエスト開口部とレッグ開口部との間に、左右に分離された一対の第１領域７１を有し、その間に、細幅な端部４ａ，４ｂが入り込んでいたが、腹側部Ａ及び背側部Ｂの何れか一方のみに一対の第１領域７１が形成され、その間に細幅な端部４ａ又は４ｂが入り込んでいる形態であっても良い。尚、少なくとも腹側部Ａ側に、左右に分離された一対の第１領域７１が形成され、その間に腹側部Ａ側の細幅な端部４ａが入り込んでいることが好ましい。
【００４４】
また、吸収性コア４の腹側部側の端部４ａの形状は、図８に示すような形状とすることもできる。吸収性コア４の腹側部側の端部４ｂの形状も同様である。図８（ａ）に示すおむつの吸収性コアは、腹側部Ａと股下部Ｃとの境界部付近から腹側部Ａ側の端縁までの間が略一定の幅を有する細幅な端部４aとなっている。図８（ｂ）に示すおむつの吸収性コアは、腹側部Ａと股下部Ｃとの境界部付近から腹側部Ａ側の端縁までの間が直線状の両側縁を有し、両側縁間の幅が前記端縁に向かって漸減する細幅な端部４ａを有している。図８（ｃ）に示すおむつの吸収性コア４は、その長手方向の両端部の形状が上述したおむつ１と同様の形状であるが、股下部Ｃの両側縁が外方に向けて凹の円弧状に形成されている。尚、腹側部側の端部４ａと背側部側の端部４ｂの両者を細幅とする場合、両者は同じ形状であっても良いし、異なる形状であっても良い。また、上述した使い捨ておむつ１においては、一対の第１領域間にも細幅な端部４ａ，４ｂが入り込んでいたが、細幅な端部４ａ，４ｂが一対の第２領域間のみに入り込んでいても良い。また、一対のサイド伸縮領域として、おむつ着用時の圧力が１．１〜２．５ｋＰａの第１領域のみが形成されていても良い。
【００４５】
また、図９に示すように、ウエスト開口部５１と第１領域７１との間に第３領域７３が設けられていてもよい。また、上述した使い捨ておむつ１においては腹側部Ａの両側縁Ａ１，Ａ２と背側部Ｂの両側縁Ｂ１，Ｂ２とを互いに接合してサイドシール部を形成したが、これに代えて、ホック、ボタン、面ファスナーなどの各種係合部材で予め係合させて、パンツ型の形状となしてもよい。また腹側部Ａの両側縁Ａ１，Ａ２と背側部Ｂの両側縁Ｂ１，Ｂ２との接合又は係合位置は、身体の真横の位置に限られず、身体のやや前寄り又は後寄りの位置であってもよい。
【００４６】
また、上述した使い捨ておむつ１においては外包材１１を外層及び内層不織布１２，１３から構成したが、外包材の材料はこれに限られず、例えば不織布と撥水性シートとの積層シートであってもよい。また、上述した使い捨ておむつ１においては、おむつの輪郭を画成する外包材１１と、その上に載置される吸収体本体１０とからおむつ１が構成されていたが、これに代えて、表面シート及び裏面シートによっておむつの輪郭を画成させ、両シート間に吸収性コアを介在配置してもよい。また、おむつの腹側部及び背側部における吸収性コアの左右両側部から外方へ延出する部位を、弾性パネル材から構成してもよい。
【００４７】
また、展開型の使い捨ておむつにおける腹側部及び／又は背側部に、おむつ幅方向
に分離した左右一対のサイド伸縮領域を設け、そのサイド伸縮領域間に、細幅な吸収
性コアの端部を位置させても良い。
【図面の簡単な説明】
【００４８】
【図１】本発明のパンツ型使い捨ておむつの一実施形態を示す斜視図である。
【図２】図１に示すおむつを組み立てる前の状態を示す分解斜視図である。
【図３】図２における外包材の展開状態を示す平面図である。
【図４】腸骨を示す説明図である。
【図５】着用者のウエスト部におけるずれ落ち力の算出方法を示す説明図である。
【図６】上前腸骨棘高前後長の測定方法を示す説明図である。
【図７】本発明のおむつの別の実施形態を示す図であり、（ａ）は斜視図、（ｂ）は展開状態を示す平面図である。
【図８】本発明のおむつの別の実施形態を示す模式正面図である。
【図９】本発明のおむつの別の実施形態を示す、展開状態での平面図である。
【符号の説明】
【００４９】
１  パンツ型使い捨ておむつ
２  表面シート
３  裏面シート
４  吸収性コア
４ａ，４ｂ  吸収性コアの細幅な端部
５  ウエスト開口部
６  レッグ開口部
７１  第１領域（サイド伸縮領域）
７２  第２領域（サイド伸縮領域）
【図１】
0004519027.tif 000002
【図２】
0004519027.tif 000003
【図３】
0004519027.tif 000004
【図４】
0004519027.tif 000005
【図５】
0004519027.tif 000006
【図６】
0004519027.tif 000007
【図７】
0004519027.tif 000008
【図８】
0004519027.tif 000009
【図９】
0004519027.tif 000010